(57)【特許請求の範囲】
【請求項１】
上枠、下枠および左右の縦枠を枠組みして構成される枠体と、前記枠体内に配置されるパネルとを備え、
前記上枠、下枠および左右の縦枠は、断面形状が同一の枠形材によって形成され、
前記枠形材は、室外見付け片部を有する本体部と、前記室外見付け片部の内側端部から室外側に持ち出されていると共に前記パネルの室内面を受ける持出片部とを有し、
前記持出片部は、前記パネルの室外面を押える押縁と係合される
ことを特徴とするカーテンウォールユニット。
【請求項２】
請求項１に記載のカーテンウォールユニットにおいて、
前記下枠は、アルミ製の押出形材によって形成され、
前記下枠の持出片部に沿って金属製のパネル支え材が固定され、
前記パネル支え材は、前記下枠の持出片部から前記パネルの下方まで室外側に突出して配置される
ことを特徴とするカーテンウォールユニット。
【請求項３】
請求項１または請求項２に記載のカーテンウォールユニットにおいて、
前記持出片部は、前記枠形材の見込み方向に沿って前記室外見付け片部から室外側に延出した持出見込み片部と、前記持出見込み片部の室外端に形成されるパネル室内受け片部とを有し、
前記押縁は、前記持出見込み片部に沿って配置される押縁見込み片部と、前記押縁見込み片部の室外端に形成されるパネル室外受け片部とを有し、
前記持出見込み片部および押縁見込み片部は、互いに係合する鉤状の係合部をそれぞれ有し、
前記係合部の係合状態で、前記押縁見込み片部は、前記室外見付け片部に対して、前記枠形材の見込み方向における前記係合部同士の掛かり代に対応する間隔を隔てて位置する
ことを特徴とするカーテンウォールユニット。
【請求項４】
上枠、下枠および左右の縦枠を枠組みして構成される枠体と、前記枠体内に配置されるパネルとを備え、
前記上枠、下枠および左右の縦枠は、断面形状が同一の枠形材によって形成され、
前記枠形材は、室外壁部および室外壁部に連続する見込み片部を有する本体部と、前記室外壁部のうち前記枠形材の見付け方向内側に位置する部分から室外側に持ち出された持出片部とを有し、
前記持出片部は、前記パネルの室内面を受けるとともに、前記パネルの室外面を押える押縁と係合され、
前記枠体は、前記持出片部および前記見込み片部を間隔を隔てて覆うカバー片を備え、
前記カバー片は、その室外側で前記持出片部にカバー片断熱用の絶縁材を介して取り付けられるとともに、その室内側で前記本体部にカバー片断熱用の絶縁材を介して取り付けられる
ことを特徴とするカーテンウォールユニット。
【発明の詳細な説明】
【技術分野】
【０００１】
本発明は、建物の外壁面を構成するカーテンウォールを構成するカーテンウォールユニットに関する。
【背景技術】
【０００２】
従来、カーテンウォールユニットとして、上下の横枠と左右の縦枠から組まれるフレームと、フレーム内に配置されるガラスのパネルとによって構成されるカーテンウォールユニットが知られている（特許文献１参照）。このカーテンウォールユニットでは、各枠材（上下の横枠および左右の縦枠）は、断面形状が同一の形材によってそれぞれ形成されており、各枠材の端部は水平に対して４５°の角度で切断されて互いに突き合わされている。
【０００３】
各枠材の室外壁部には、アタッチメントが取り付けられ、このアタッチメントには、前記室外壁部よりも室外側に位置する押縁が係合している。枠材の室外壁部は、バックアップ材やシール材を介してガラスのパネルの室内面を受けている。押縁は、バックアップ材やシール材を介してガラスのパネルの室外面を受けている。
【先行技術文献】
【特許文献】
【０００４】
【特許文献１】特開平１１−２１７８９７号公報
【発明の概要】
【発明が解決しようとする課題】
【０００５】
ところで、特許文献１に記載のカーテンウォールユニットでは、枠材の室外壁部にバックアップ材やシール材を介してパネルの室内面を受けているため、枠材の室外壁部をパネルの室外面から室内側に間隔を隔ててセットバックすることや、当該室外壁部を室外側に露出させて配置することが難しく、枠材の室外側からの見えがかり面をセットバックして外観意匠を構成することが困難である。
【０００６】
本発明の目的は、枠材の室外側からの見えがかり面をセットバックできるカーテンウォールユニットを提供することにある。
【課題を解決するための手段】
【０００７】
本発明のカーテンウォールユニットは、上枠、下枠および左右の縦枠を枠組みして構成される枠体と、前記枠体内に配置されるパネルとを備え、前記上枠、下枠および左右の縦枠は、断面形状が同一の枠形材によって形成され、前記枠形材は、室外見付け片部を有する本体部と、前記室外見付け片部の内側端部から室外側に持ち出されていると共に前記パネルの室内面を受ける持出片部とを有し、前記持出片部は、前記パネルの室外面を押える押縁と係合されることを特徴とする。
【０００８】
本発明のカーテンウォールユニットによれば、室外見付け片部の内側端部から室外側に持ち出された持出片部がパネルの室内面を受ける構成であるため、室外見付け片部がパネルの室内面を受ける構成と比べて、持出片部がある分だけ室外見付け片部をパネルから室内側にセットバックでき、かつ、持出片部が室外見付け片部の内側端部にあるため、室外見付け片部をパネルよりも外周側に露出した位置に配置できる。また、断面形状が同一の枠形材によって上枠、下枠および左右の縦枠が形成されるので、枠体の室外側からの見えがかり面をパネルの四周に沿ってセットバックした外観意匠を構成でき、パネルが枠体の室外面から室外側に突出したような新しいデザインを実現できる。
【０００９】
本発明のカーテンウォールユニットでは、前記下枠は、アルミ製の押出形材によって形成され、前記下枠の持出片部に沿って金属製のパネル支え材が固定され、前記パネル支え材は、前記下枠の持出片部から前記パネルの下方まで室外側に突出して配置されることが好ましい。
このような構成によれば、アルミ製の押出形材によって形成される下枠の肉厚を大きくして強度を高めなくても、金属製のパネル支え材を下枠の持出片部に沿って固定することで当該持出片部を補強できるうえ、持出片部からパネルの下方まで突出したパネル支え材によって当該パネルを支えることができる。
【００１０】
本発明のカーテンウォールユニットでは、前記持出片部は、前記枠形材の見込み方向に沿って前記室外見付け片部から室外側に延出した持出見込み片部と、前記持出見込み片部の室外端に形成されるパネル室内受け片部とを有し、前記押縁は、前記持出見込み片部に沿って配置される押縁見込み片部と、前記押縁見込み片部の室外端に形成されるパネル室外受け片部とを有し、前記持出見込み片部および押縁見込み片部は、互いに係合する鉤状の係合部をそれぞれ有し、前記係合部の係合状態で、前記押縁見込み片部は、前記室外見付け片部に対して、前記枠形材の見込み方向における前記係合部同士の掛かり代に対応する間隔を隔てて位置することが好ましい。
このような構成によれば、押縁見込み片部を室外見付け片部に対して前述した間隔を隔てて位置することで、押縁見込み片部と持出見込み片部との係合およびその解除に必要な掛り代分のスライド幅を確保しつつ、押縁見込み片部を枠形材の室外見付け片部に近接して配置できる。これにより、押縁と室外見付け片部との色や表面形状などを異ならせることで、枠体のセットバック部分において押縁見込み片部と室外見付け片部との外観意匠を種々設定できる。また、押縁を取り替えることによっても種々の外観意匠を構成できる。
【００１１】
本発明のカーテンウォールユニットは、上枠、下枠および左右の縦枠を枠組みして構成される枠体と、前記枠体内に配置されるパネルとを備え、前記上枠、下枠および左右の縦枠は、断面形状が同一の枠形材によって形成され、前記枠形材は、室外壁部および室外壁部に連続する見込み片部を有する本体部と、前記室外壁部のうち前記枠形材の見付け方向内側に位置する部分から室外側に持ち出された持出片部とを有し、前記持出片部は、前記パネルの室内面を受けるとともに、前記パネルの室外面を押える押縁と係合され、前記枠体は、前記持出片部および前記見込み片部を間隔を隔てて覆うカバー片を備え、前記カバー片は、その室外側で前記持出片部にカバー片断熱用の絶縁材を介して取り付けられるとともに、その室内側で前記本体部にカバー片断熱用の絶縁材を介して取り付けられることが好ましい。
このような構成によれば、カバー片が枠形材に絶縁材を介して取り付けられるため、枠形材からカバー片への熱伝達を絶縁できる。
ところで、隣接配置されるカーテンウォールユニットの枠形材は、室外側外気に影響されて温度変化するので、枠形材と室内空間とに温度差が生じ、枠形材の室内見込み面に結露が生じやすくなるおそれがある。そこで、本発明では、前述したようにカバー片を設置することで、枠形材からカバー片への熱伝達が絶縁材によって絶縁されるため、当該カバー片に結露が生じることを抑制できる。
加えて、カバー片は一つの枠形材に対して取り付けられるため、カーテンウォールユニットの現場ユニットの現場施工後、隣接配置される枠形材同士をまとめて覆って設置されるカバー部材と比べて、施工性に優れる。
【発明の効果】
【００１２】
本発明によれば、枠材の室外側からの見えがかり面をセットバックできるカーテンウォールユニットを提供できる。
【図面の簡単な説明】
【００１３】
【図１】本発明の実施形態に係るカーテンウォールユニットを示す縦断面図。
【図２】前記実施形態に係るカーテンウォールユニットの上側要部を示す横断面図。
【図３】前記実施形態に係るカーテンウォールユニットの下側要部を示す横断面図。
【発明を実施するための形態】
【００１４】
［本実施形態の構成］
以下、本発明の実施形態を図面に基づいて説明する。
図１〜３は、本実施形態に係るカーテンウォールユニット１０を示している。カーテンウォールユニット１０は、上下左右に並設されることで、建物の外壁面であるカーテンウォールを構成するものである。なお、建物は、梁と、梁で支持される床スラブとを備えており、床スラブの下部には吊り天井が設置されている。各カーテンウォールユニット１０は床スラブにそれぞれ吊られて設置される。
【００１５】
カーテンウォールユニット１０は、枠体２０と、パネル２１，２２とを備える段窓によって構成されている。
枠体２０は、アルミ製の押出形材によって形成された上枠３０、下枠４０、無目５０および左右の縦枠６０（６０Ａ，６０Ｂ）を枠組みして構成されている。上枠３０、下枠４０および左右の縦枠６０Ａ，６０Ｂは、断面形状が同一の枠形材によってそれぞれ形成されている。上枠３０および下枠４０の両端部および縦枠６０Ａ，６０Ｂの両端部は互いに４５°の角度で切断されて突き合わされ、各内部にコーナーブロックが差し込まれることによって互いに接合されている。また、無目５０は、左右の縦枠６０Ａ，６０Ｂに取り付けられている。
上枠３０、無目５０および左右の縦枠６０Ａ，６０Ｂは、上側の開口２３を形成しており、下枠４０、無目５０および左右の縦枠６０Ａ，６０Ｂは、下側の開口２４を形成している。パネル２１は、単層ガラスパネルによって形成されて開口２３に配置されている。パネル２２は、複層ガラスパネルによって形成されて開口２４に配置されている。
【００１６】
上枠３０は、図１に示すように、本体部３１と、持出片部３２とを有する。本体部３１は、室外壁部としての室外見付け片部３１１と、室外見付け片部３１１に連続している見込み片部３１２，３１３と、見込み片部３１２，３１３に連続している室内見付け片部３１４とを有している。見込み片部３１３は、見込み片部３１２よりも上枠３０の見付け方向外側（上側）に位置している。見込み片部３１３には、上枠３０の見付け方向外側（上側）に突出した側片部３１５が形成されており、側片部３１５および室内見付け片部３１４には、一つのヒレを有する水密材１１Ａおよび気密材１２が装着される装着枠部３１６が連続している。
【００１７】
室外見付け片部３１１の内側端部（下端部）は、見込み片部３１２よりも上枠３０の見付け方向内側（下側）に位置している。室外見付け片部３１１の外側端部（上端部）は、見込み片部３１３よりも上枠３０の見付け方向外側（上側）に位置している。
見込み片部３１２には、室外見付け片部３１１の内側端部との間で耐火パネル１３を保持するアングル材１４が取り付けられている。
室内見付け片部３１４は、見込み片部３１３よりも上枠３０の見付け方向外側（上側）に突出している。
装着枠部３１６は、二つの溝形成部３１６Ａ，３１６Ｂを有している。溝形成部３１６Ａには水密材１１Ａが装着されており、溝形成部３１６Ｂには気密材１２が装着されている。溝形成部３１６Ａ，３１６Ｂ間には、嵌合凸部材１５Ａが嵌め込まれている。
【００１８】
持出片部３２は、上枠３０の見込み方向に沿って室外見付け片部３１１の内側端部から室外側に延出した持出見込み片部３２１と、持出見込み片部３２１の室外端に形成されたパネル室内受け片部３２５とを有しており、本体部３１の室外見付け片部３１１から室外側に持ち出されて構成されている。
【００１９】
持出見込み片部３２１の外面（上面）には、二つの鉤状の係合部３２３が形成されている。二つの鉤状の係合部３２３は、パネル室内受け片部３２５よりも室内側に位置している。
パネル室内受け片部３２５は、上枠３０の見付け方向に沿って配置されている。パネル室内受け片部３２５の外側端部（上端部）は、持出見込み片部３２１よりも上枠３０の見付け方向外側（上側）に位置しており、パネル室内受け片部３２５の内側端部（下端部）は、持出見込み片部３２１よりも上枠３０の見付け方向内側（下側）に位置している。
【００２０】
パネル室内受け片部３２５の室外面には、室外突部３２５Ａが形成されている。室外突部３２５Ａは、上枠３０の見込み方向において持出見込み片部３２１の室外端に対向する位置に配置されている。この室外突部３２５Ａには、パネル２１の室内面に当接するガスケット１６が装着されている。
また、パネル室内受け片部３２５の室内面には、室内突部３２５Ｂが形成されている。室内突部３２５Ｂは、パネル室内受け片部３２５の内側端部に配置されている。
【００２１】
持出見込み片部３２１の係合部３２３には、断面略Ｌ字形状の押縁３５が係合している。押縁３５は、持出見込み片部３２１に沿って配置される押縁見込み片部３５１と、押縁見込み片部３５１の室外端に形成されるパネル室外受け片部３５５とを有している。
【００２２】
押縁見込み片部３５１は、持出片部３２よりも室外側に延出して形成されており、二つの係合部３２３に係合する二つの鉤状の係合部３５３を有している。係合部３２３，３５３の係合状態では、押縁見込み片部３５１の室内端部は、室外見付け片部３１１に対して、上枠３０の見込み方向における係合部３２３，３５３同士の掛かり代に対応する微小な間隔を隔てて位置している。押縁見込み片部３５１の下面には、パネル室内受け片部３２５の外側端部および二つの係合部３２３が当接している。
【００２３】
パネル室外受け片部３５５は、押縁見込み片部３５１の室外端部から上枠３０の見付け方向内側（下側）に延出して形成されている。パネル室外受け片部３５５は、パネル２１の室外面に対向して位置しており、当該パネル２１の室外面に当接するガスケット１７が装着されている。
【００２４】
前述した上枠３０は、室外見付け片部３１１がパネル室外受け片部３５５よりも室内側に位置し、かつ、パネル室内受け片部３２５よりもさらに室内側に位置している。このように、上枠３０には、見付け面が室外見付け片部３１１によって形成され、かつ、見込み面が押縁見込み片部３５１によって形成されるセットバック部分が構成される。
【００２５】
下枠４０は、前述したように上枠３０と断面形状が同一の枠形材によって形成されており、図１に示すように、上枠３０に対して上下逆向きに配置されている。下枠４０の溝形成部３１６Ａ，３１６Ｂ間には、嵌合凹部材１５Ｂが嵌め込まれている。
下枠４０のパネル室内受け片部３２５は、パネル２２の室内面に対向して配置されている。下枠４０のパネル室内受け片部３２５の外側端部は、持出見込み片部３２１よりも下側に位置しており、内側端部は持出見込み片部３２１よりも上側に位置している。下枠４０の室外突部３２５Ａには、バックアップ材１８が装着されており、バックアップ材１８の上部にはシール材１９が設けられている。これらのバックアップ材１８およびシール材１９は、パネル２２の室内面に当接している。下枠４０の室内突部３２５Ｂは、前述したシール材１９が設けられた部分の室内側に位置している。下枠４０には、当該下枠４０の上面（室内見込み面）側を覆うカバー片４１が装着されている。カバー片４１は、その室外側でパネル室内受け片部３２５にカバー片断熱用の絶縁材４３を介して取り付けられるとともに、その室内側で室内見付け片部３１４にカバー片断熱用の絶縁材４４を介して取り付けられる。絶縁材４３は室内突部３２５Ｂに係合しており、絶縁材４４はカバー片４１とともに室内見付け片部３１４にねじ止めされている。
このカバー片４１は、持出見込み片部３２１および見込み片部３１２を間隔を隔てて覆っている。
下枠４０の持出片部３２に係合している押縁３５もまた、上枠３０の持出片部３２に係合している押縁３５と上下逆向きに配置されている。下枠４０における押縁３５のパネル室外受け片部３５５は、パネル２２の室外面に対向して配置されており、当該パネル室外受け片部３５５に装着されたガスケット１７は当該パネル２２の室外面に当接している。
【００２６】
下枠４０の持出片部３２の二つの係合部３２３とパネル室内受け片部３２５のうち持出見込み片部３２１よりも当該パネル室内受け片部３２５の外側端部側に位置する部分とには、切欠部が形成されており、当該切欠部に金属製のパネル支え材としてのフラットバー４２が配置されている。
フラットバー４２は、当該持出見込み片部３２１および押縁３５の押縁見込み片部３５１間に挟み込まれており、下枠４０の持出見込み片部３２１に沿って固定されている。フラットバー４２は、持出片部３２からパネル２２の下方まで室外側に突出して配置されている。
なお、パネル２２は、セッティングブロック上に載置されており、フラットバー４２に対して上下方向に間隔を隔てて配置されている。
【００２７】
上下方向に並んで設置されたカーテンウォールユニット１０の上枠３０および下枠４０は、上下方向に対向して配置されており、室外見付け片部３１１の外側端部同士は上下方向に間隔を隔てて対向して配置されており、嵌合凸部材１５Ａおよび嵌合凹部材１５Ｂは嵌合している。
また、水密材１１Ａ同士と気密材１２同士とが当接することによって等圧空間６を形成している。装着枠部３１６には等圧空間６に連通する孔７が形成されている。この孔７を通じて室外側外気と等圧空間６とが通気することで、等圧空間６は室外側外気と等圧状態とされる。なお、上枠３０側の孔７は水抜き孔として利用される。
【００２８】
無目５０は、図１に示すように、無目本体部５１と、無目本体部５１から室外側に延出した室外枠部５２とを有しており、室外枠部５２には、押縁５５，５６が係合している。
無目本体部５１は、室外見付け片部５１１と、室外見付け片部５１１に連続している見込み片部５１２，５１３と、見込み片部５１２，５１３に連続している室内見付け片部５１４とを有しており、断面略矩形状に形成されている。見込み片部５１３は、見込み片部５１２よりも下方に位置している。
【００２９】
室外見付け片部５１１のうち室外枠部５２よりも上側部分および下側部分には、室外突部５１１Ａが形成されている。上側の室外突部５１１Ａには、パネル２１の室内面に当接するガスケット１６が装着されている。下側の室外突部５１１Ａには、パネル２２の室内面に当接するバックアップ材１８が装着されており、このバックアップ材１８の下部にはシール材１９が設けられている。室外見付け片部５１１は、見込み片部５１３よりも下方に延出しており、この延出部分に室内突部５１１Ｂが形成されている。室内突部５１１Ｂには、ブラインド装置が取り付けられるカバー片５７が装着されている。
【００３０】
室外枠部５２は、断面略コ字形状に形成されて室外見付け片部５１１に連続している。室外枠部５２の室外面には、二つの係合片部５２１が形成されている。この二つの係合片部には、前述した押縁５５，５６がそれぞれ係合している。ここで、押縁５５は、断面略Ｌ字形状に形成されており、室外部分がパネル２１の室外面に対向して配置されており、押縁５６は、断面略Ｌ字形状に形成されており、室外部分がパネル２２の室外面に対向して配置されている。そして、押縁５５，５６は、連続片部によって互いに連続しており、この連続片部が室外枠部５２にねじ止めされている。
【００３１】
縦枠６０Ａ，６０Ｂは、前述したように上枠３０と断面形状が同一の枠形材によって形成されている。左右方向に並んで設置されたカーテンウォールユニット１０の縦枠６０Ａ，６０Ｂは、左右方向に対向して配置されている。室外見付け片部３１１の外側端部同士は左右方向の間隔を隔てて対向して配置されている。なお、縦枠６０Ａ，６０Ｂでは、溝形成部３１６Ａには、水密材１１Ａに代えて二つのヒレを有する水密材１１Ｂが装着されている。また、溝形成部３１６Ａ，３１６Ｂ間には嵌合凸部材１５Ａ、嵌合凹部材１５Ｂのいずれも嵌め込まれていない。
【００３２】
水密材１１Ｂ同士と気密材１２同士とが当接することによって等圧空間６を形成している。
【００３３】
縦枠６０Ａ，６０Ｂのうち無目５０よりも上側部分（スパンドレル部）では、図２に示すように、パネル室内受け片部３２５の室外突部３２５Ａには、パネル２１の室内面に当接するガスケット１６が装着されている。また、見込み片部３１２には、室外見付け片部３１１の内側端部との間で耐火パネル１３を保持するアングル材１４が取り付けられている。
【００３４】
縦枠６０Ａ，６０Ｂのうち無目５０よりも下側部分では、図３に示すように、パネル室内受け片部３２５の室外突部３２５Ａには、パネル２２の室内面に当接するバックアップ材１８が装着されており、当該バックアップ材１８に沿ってシール材１９が設けられている。縦枠６０Ａ，６０Ｂには、当該縦枠６０Ａ，６０Ｂの側面（室内見込み面）側を覆うカバー片６１が装着されている。カバー片６１は、その室外側でパネル室内受け片部３２５にカバー片断熱用の絶縁材６３を介して取り付けられるとともに、その室内側で室内見付け片部３１４に絶縁材６４を介して取り付けられている。絶縁材６３は室内突部３２５Ｂに係合しており、絶縁材６４はカバー片６１とともに室内見付け片部３１４にねじ止めされている。
このカバー片６１は、持出見込み片部３２１および見込み片部３１２を間隔を隔てて覆っている。
【００３５】
縦枠６０Ａに係合している押縁３５と縦枠６０Ｂに係合している押縁３５とは、互いに左右逆向きに配置されている。これらの押縁３５の室外部分は、無目５０よりも上側部分では図２に示すようにパネル２１の室外面に対向しており、無目５０よりも下側部分では図３に示すようにパネル２２の室内面に対向している。
【００３６】
上枠３０、下枠４０および左右の縦枠６０Ａ，６０Ｂの持出片部３２の見込み寸法は、無目本体部５１の見込み片部５１２，５１３の見込み寸法と同寸法であり、各持出片部３２の見込み位置は見込み片部５１２，５１３の見込み位置と同位置である。
また、上枠３０、下枠４０および左右の縦枠６０Ａ，６０Ｂの室外見付け片部３１１の見込み位置は、無目本体部５１の室内見付け片部５１４の見込み位置と同位置である。
これにより、上枠３０、下枠４０および左右の縦枠６０Ａ，６０Ｂの本体部３１は、カーテンウォールユニット１０の見込み方向において無目５０よりも室内側にセットバックされて配置されている。
【００３７】
［本実施形態の効果］
（１）本実施形態では、カーテンウォールユニット１０は、上枠３０、下枠４０および左右の縦枠６０を枠組みして構成される枠体２０と、枠体２０内に配置されるパネル２１，２２とを備え、上枠３０、下枠４０および左右の縦枠６０は、断面形状が同一の枠形材によって形成され、枠形材は、室外見付け片部３１１を有する本体部３１と、室外見付け片部３１１のうち枠形材の見付け方向内側に位置する部分から室外側に持ち出された持出片部３２とを有し、持出片部３２は、パネル２１，２２の室内面を受けるとともに、パネル２１，２２の室外面を押える押縁３５が係合されることを特徴とする。
上記構成を有するため、室外見付け片部３１１のうち枠形材の見付け方向内側に位置する部分から室外側に持ち出された持出片部３２がパネル２１，２２の室内面を受ける構成であるため、室外見付け片部３１１がパネル２１，２２の室内面を受ける構成と比べて、持出片部３２がある分だけ室外見付け片部３１１をパネル２１，２２から室内側にセットバックでき、かつ、持出片部３２が室外見付け片部３１１のうち枠形材の見付け方向内側に位置する部分にあるため、室外見付け片部３１１をパネル２１，２２よりも外周側に露出した位置に配置できる。また、断面形状が同一の枠形材によって上枠３０、下枠４０および左右の縦枠６０が形成されるので、枠体２０の室外側からの見えがかり面をパネル２１，２２の四周に沿ってセットバックした外観意匠を構成でき、パネル２１，２２が枠体２０の室外面から室外側に突出したような新しいデザインを実現できる。
さらに、本実施形態では、以下の各効果を発揮できる。
（２）下枠４０は、アルミ製の押出形材によって形成され、下枠４０の持出片部３２に沿って金属製のフラットバー４２がねじ止めによって固定され、フラットバー４２は、下枠４０の持出片部３２からパネル２２の下方まで室外側に突出して配置される。
このため、アルミ製の押出形材によって形成される下枠４０の肉厚を大きくして強度を高めなくても、フラットバー４２を下枠４０の持出片部３２に沿って固定することで当該持出片部３２を補強できるうえ、持出片部３２からパネル２２の下方まで突出したフラットバー４２によって当該パネル２２を支えることができる。
（３）持出片部３２は、枠形材の見込み方向に沿って室外見付け片部３１１から室外側に延出した持出見込み片部３２１と、持出見込み片部３２１の室外端に形成されるパネル室内受け片部３２５とを有し、押縁３５は、持出見込み片部３２１に沿って配置される押縁見込み片部３５１と、押縁見込み片部３５１の室外端に形成されるパネル室外受け片部３５５とを有し、持出見込み片部３２１および押縁見込み片部３５１は、互いに係合する鉤状の係合部３２３，３５３をそれぞれ有し、係合部３２３，３５３の係合状態で、押縁見込み片部３５１は、室外見付け片部３１１に対して、枠形材の見込み方向における係合部３２３，３５３同士の掛かり代に対応する間隔を隔てて位置する。
このため、押縁見込み片部３５１を室外見付け片部３１１に対して前述した間隔を隔てて位置することで、押縁見込み片部３５１と持出見込み片部３２１との係合およびその解除に必要な掛り代分のスライド幅を確保しつつ、押縁見込み片部３５１を枠形材の室外見付け片部３１１に近接して配置できる。これにより、押縁３５と室外見付け片部３１１との色や表面形状などを異ならせることで、枠体２０のセットバック部分において押縁見込み片部３５１と室外見付け片部３１１との外観意匠を種々設定できる。また、押縁３５を取り替えることによっても種々の外観意匠を構成できる。
（４）枠体２０は、持出片部３２および見込み片部３１２を間隔を隔てて覆うカバー片４１，６１を備え、カバー片４１，６１は、その室外側で持出片部３２にカバー片断熱用の絶縁材４３，６３を介して取り付けられるとともに、その室内側で本体部３１にカバー片断熱用の絶縁材４４，６４を介して取り付けられる。
このため、カバー片４１，６１が枠形材に絶縁材４３，４４，６３，６４を介して取り付けられるため、枠形材からカバー片４１，６１への熱伝達を絶縁でき、カバー片４１，６１に結露が生じることを抑制できる。
また、カバー片４１，６１は一つの枠形材に対して取り付けられるため、カーテンウォールユニット１０の現場ユニットの現場施工後、隣接配置される枠形材同士をまとめて覆って設置されるカバー部材と比べて、施工性に優れる。
（５）上枠３０、下枠４０および左右の縦枠６０を、断面形状が同一の枠形材によって形成することで、形材コストを削減できるとともに、カーテンウォールユニット１０の四周をセットバックして統一した外観意匠を構成できる。
【００３８】
［変形例］
本発明は、以上の実施形態で説明した構成のものに限定されず、本発明の目的を達成できる範囲での変形例は、本発明に含まれる。
例えば、前記実施形態では、下枠４０の持出片部３２に沿ってフラットバー４２が固定されているが、この構成を省略してもよい。
【００３９】
前記実施形態では、持出見込み片部３２１および押縁見込み片部３５１には鉤状の係合部３２３，３５３が形成されているが、鉤状の係合部３２３，３５３に限られず、持出見込み片部３２１および押縁見込み片部３５１同士が係合できればよく、また、持出見込み片部３２１に押縁見込み片部３５１がねじ止め等によって固定されてもよい。
【００４０】
前記実施形態では、枠形材の見付け方向に沿った室外見付け片部３１１によって上枠３０、下枠４０および左右の縦枠６０の室外壁部が構成されているが、これに限られず、例えば室外側に湾曲した片部によって室外壁部が構成されてもよい。
また、持出片部３２は、枠形材の見込み方向に沿った持出見込み片部３２１を有しているが、これに限られず、前記湾曲した室外壁部に連なって湾曲して室外側に突出する片部を有していてもよい。
【符号の説明】
【００４１】
１０…カーテンウォールユニット、１１Ａ，１１Ｂ…水密材、１２…気密材、１３…耐火パネル、１４…アングル材、１５Ａ…嵌合凸部材、１５Ｂ…嵌合凹部材、１６，１７…ガスケット、１８…バックアップ材、１９…シール材、２０…枠体、２１，２２…パネル、２３，２４…開口、３０…上枠、３１…本体部、３１１，５１１…室外見付け片部、３１２，３１３，５１２，５１３…見込み片部、３１４，５１４…室内見付け片部、３１５…側片部、３１６…装着枠部、３１６Ａ，３１６Ｂ…溝形成部、３２…持出片部、３２１…持出見込み片部、３２３，３５３…係合部、３２５…パネル室内受け片部、３２５Ａ，５１１Ａ…室外突部、３２５Ｂ，５１１Ｂ…室内突部、３５，５５，５６…押縁、３５１…押縁見込み片部、３５５…パネル室外受け片部、４０…下枠、４１，５７，６１…カバー片、４２…フラットバー（支え材）、４３，４４，６３，６４…絶縁材、５０…無目、５１…無目本体部、５２…室外枠部、５２１…係合片部、６…等圧空間、６０（６０Ａ，６０Ｂ）…縦枠、７…孔。
【図１】
0006668134.tif 000002
【図２】
0006668134.tif 000003
【図３】
0006668134.tif 000004